(57)【要約】      （修正有）【課題】使い勝手のよい調理情報の提供を可能にするための技術を提供する。【解決手段】ネットワークシステム１は、ルータ４００を介して電気機器３００Ａ、３００Ｂと、使用する調理機器２００Ａ、２００Ｂが異なる複数のレシピを選択可能に電気機器に出力させるためのサーバ１００とを備える。【選択図】図１
2020008989.tif 000002
【特許請求の範囲】
【請求項１】
電気機器と、
使用する調理機器が異なる複数のレシピを選択可能に前記電気機器に出力させるためのサーバとを備える、ネットワークシステム。
【請求項２】
前記サーバは、前記複数のレシピとして、前記電気機器のユーザに対応付けられている調理機器を使用するレシピを抽出する、請求項１に記載のネットワークシステム。
【請求項３】
前記サーバは、前記電気機器を介して選択されたレシピと調理時間が似通った別のレシピを選択可能に前記電気機器に出力させる、請求項１または２に記載のネットワークシステム。
【請求項４】
前記サーバは、前記複数のレシピと調理時間が似通った別のレシピとを組みあわせたものを選択可能に前記電気機器に出力させる、請求項１または２に記載のネットワークシステム。
【請求項５】
前記サーバは、前記別のレシピとして、前記複数のレシピで使用される調理機器と異なる調理機器を利用するレシピを抽出する、請求項３または４に記載のネットワークシステム。
【請求項６】
前記サーバは、前記電気機器を介して選択されたレシピで使用される電気機器に、前記選択されたレシピに合わせた調理命令をダウンロードする、請求項１から５のいずれか１項に記載のネットワークシステム。
【請求項７】
前記サーバは、前記電気機器のユーザに対応付けられる冷蔵庫に入っている食材のデータベースを参照可能であって、前記複数のレシピとして、前記冷蔵庫に入っている食材を利用するレシピを抽出する、請求項１から６に記載のネットワークシステム。
【請求項８】
電気機器と通信するための通信インターフェイスと、
前記通信インターフェイスを介して、使用する調理機器が異なる複数のレシピを選択可能に前記電気機器に出力させるためのプロセッサとを備える、サーバ。
【請求項９】
サーバにおける情報処理方法であって、
使用する調理機器が異なる複数のレシピを抽出するステップと、
前記複数のレシピを選択可能に電気機器に出力させるステップと、を備える情報処理方法。
【発明の詳細な説明】
【技術分野】
【０００１】
本発明は、調理情報を提供するための技術に関する。
【背景技術】
【０００２】
従来から、調理情報を提供するための技術が知られている。たとえば、特開２０１８−４１９８号公報（特許文献１）には、加熱調理器および調理メニュー提案装置が開示されている。特許文献１によると、加熱調理器は、ヒータと、相談情報を音声入力するためのマイクと、記憶部と、第１処理部と、第２処理部と、カラー液晶表示部と、加熱制御部とを備える。記憶部は、複数の調理カテゴリーと、調理カテゴリー毎の得点を有する複数の調理メニューとを記憶している。第１処理部は、相談情報に基づいて記憶部の少なくとも１つの調理カテゴリーを選択する。第２処理部は、調理メニュー毎に、選択された調理カテゴリーの得点の合計点を算出し、合計点の高い順に少なくとも１つの調理メニューを選択する。
【先行技術文献】
【特許文献】
【０００３】
【特許文献１】特開２０１８−４１９８号公報
【発明の概要】
【発明が解決しようとする課題】
【０００４】
本発明の目的は、使い勝手のよい調理情報の提供を可能にするための技術を提供することにある。
【課題を解決するための手段】
【０００５】
本発明のある態様に従うと、電気機器と、使用する調理機器が異なる複数のレシピを選択可能に電気機器に出力させるためのサーバとを備える、ネットワークシステムが提供される。
【発明の効果】
【０００６】
以上のように、本発明によれば、使い勝手のよい調理情報の提供を可能にするための技術が提供される。
【図面の簡単な説明】
【０００７】
【図１】第１の実施の形態にかかるネットワークシステム１の全体構成を示すイメージ図である。
【図２】第１の実施の形態にかかるネットワークシステム１の動作概要を示すイメージ図である。
【図３】第１の実施の形態にかかる通信端末３００の画面の推移を示すイメージ図である。
【図４】第１の実施の形態にかかるサーバ１００の構成を表わすブロック図である。
【図５】第１の実施の形態にかかるユーザ情報データ１２１を示すイメージ図である。
【図６】第１の実施の形態にかかる機器情報データ１２２を示すイメージ図である。
【図７】第１の実施の形態にかかる調理情報データ１２３を示すイメージ図である。
【図８】第１の実施の形態にかかる在庫情報データ１２４を示すイメージ図である。
【図９】第１の実施の形態にかかるサーバ１００の情報処理を示すフローチャートである。
【図１０】第１の実施の形態にかかる調理機器２００の構成を表わすブロック図である。
【図１１】第１の実施の形態にかかる通信端末３００の構成を表わすブロック図である。
【図１２】第２の実施の形態にかかる通信端末３００の画面の推移を示すイメージ図である。
【図１３】第２の実施の形態にかかるサーバ１００の情報処理を示すフローチャートである。
【図１４】第３の実施の形態にかかる通信端末３００の画面の推移を示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの全体構成＞
【０００９】
図１を参照して、本実施の形態にかかるネットワークシステム１の全体構成について説明する。ネットワークシステム１は、主たる装置として、調理支援サービスを提供するためのサーバ１００と、ルータ４００やインターネットなどを介してサーバ１００とデータをやり取りするオーブンレンジ２００Ａや自動調理鍋２００Ｂなどの調理機器と、ルータ４００やインターネットなどを介してサーバ１００とデータをやり取りする冷蔵庫３００Ａやロボット３００Ｂなどの通信端末とを含む。
【００１０】
なお、調理機器は、オーブンレンジ２００Ａや自動調理鍋２００Ｂなどにかぎらず、ＩＨクッキングヒータや炊飯器やホットプレートなどの他の調理用の装置であってもよい。以下では、これらの装置を総称して、調理機器２００ともいう。また、通信端末は、冷蔵庫３００Ａやロボット３００Ｂなどにかぎらず、スマートフォンやスピーカなどの通信可能な他の装置であってもよい。以下では、これらの装置を総称して、通信端末３００ともいう。
【００１１】
なお、後述するように、通信端末３００の役割を調理機器２００が担ってもよい。以下では説明のために、調理機器２００や通信端末３００を含む概念として、「電気機器」という用語も使用する。
＜ネットワークシステムの動作概要＞
【００１２】
次に、本実施の形態にかかるネットワークシステム１の動作概要について説明する。図１および２に示すように、本実施の形態においては、サーバ１００が、ユーザの購入履歴や、ユーザの冷蔵庫３００Ａに貯蔵されている食品の在庫や、ユーザが保有する調理機器２００の種類や、調理機器２００の種類毎の調理レシピや、ユーザに関する調理機器２００毎の調理履歴などのデータベースを利用する。そして、これらのデータを利用することによって、サーバ１００は、電気機器つまり調理機器２００や通信端末３００を介して夕飯のおかずをユーザに提案したり、調理プログラムを調理機器２００にダウンロードしたりする。
【００１３】
たとえば、図３に示すように、本実施の形態においては、ユーザが冷蔵庫３００Ａのタッチパネル３５０に献立提案を要求するための命令を入力すると、冷蔵庫３００Ａは調理支援サービスを提供するサーバ１００に献立の提案を要求する。サーバ１００は、冷蔵庫３００Ａのユーザ宅にストックされている食材を取得して、当該食材を生かしたメニューを抽出する。サーバ１００は、冷蔵庫３００Ａのタッチパネル３５０に、献立ナビゲーション画面を表示させる。ユーザが、調理の種類を選択すると、冷蔵庫３００Ａは、当該食材を生かした複数の調理メニューを選択可能に表示する。ユーザが調理メニューを選択すると、冷蔵庫３００Ａは、当該調理メニューを実行可能な、調理機器２００を選択可能に表示する。このとき、冷蔵庫３００Ａは、調理時間や、主な材料などを一緒に提示することが好ましい。
【００１４】
ユーザが調理機器２００の種類を選択すると、当該ユーザの選択命令に応じて、サーバ１００はユーザに対応付けられている調理機器２００に調理メニューを実行するための調理プログラムを送信する。これによって、ユーザは、調理機器２００に詳しい調理命令を入力することなく、簡単な調理開始命令を入力するだけで、調理メニューに適した調理を調理機器２００に実行させることが可能になる。
【００１５】
以下では、このような機能を実現するためのネットワークシステム１について詳細に説明する。
＜サーバ１００の構成＞
【００１６】
図４を参照して、ネットワークシステム１を構成するサーバ１００の構成の一態様について説明する。本実施の形態にかかるサーバ１００は、主たる構成要素として、ＣＰＵ（Central Processing Unit）１１０と、メモリ１２０と、操作部１４０と、通信インターフェイス１６０とを含む。
【００１７】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１８】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、ユーザ情報データ１２１、機器情報データ１２２、調理情報データ１２３、在庫情報データ１２４、その他の本実施の形態にかかる調理支援サービスに利用されるデータベースなどを記憶する。
【００１９】
ここで、図５を参照して、本実施の形態にかかるユーザ情報データ１２１は、調理支援サービスに登録しているユーザ毎に、ユーザの識別情報や、ユーザの名前や、ユーザの年齢や、ユーザの性別などの対応関係を格納する。
【００２０】
図６を参照して、本実施の形態にかかる機器情報データ１２２は、調理支援サービスに登録されている電気機器毎に、電気機器の識別情報と、電気機器を保有するユーザの識別情報と、電気機器の機種名や型番などの対応関係を格納する。
【００２１】
図７を参照して、調理情報データ１２３は、調理メニュー毎に、調理メニューの識別情報と、調理に適した調理機器２００の種類と、調理に要する時間と、調理で使用する材料と、調理のレシピと、調理機器２００に提供するための調理プログラムとの対応関係を格納する。特に本実施の形態においては、調理情報データ１２３には、同じ調理メニューに関しても、使用する調理機器２００ごとの調理情報、すなわち調理メニューの識別情報と、調理に適した調理機器２００の種類と、調理に要する時間と、調理で使用する材料と、調理のレシピと、調理機器２００に提供するための調理プログラムがストックされている。
【００２２】
図８を参照して、在庫情報データ１２４は、ストックされている食材毎に、食材の個別の識別情報と、食材が格納されている冷蔵庫の識別情報と、食材の名前と、食材の量と、食材の賞味期限との対応関係を格納する。
【００２３】
図４に戻って、操作部１４０は、サービスの管理者などからの操作を受け付けて、各種の命令をＣＰＵ１１０に入力する。
【００２４】
通信インターフェイス１６０は、テキストデータや画像データや音声データや制御命令などの各種データを、インターネット、キャリア網、ルータ４００などを介してオーブンレンジ２００Ａや冷蔵庫３００Ａなどの他の装置に送信する。逆に、通信インターフェイス１６０は、インターネット、キャリア網、ルータ４００などを介して他の装置からのデータを受信して、ＣＰＵ１１０に受け渡す。
＜情報処理方法＞
【００２５】
次に、本実施の形態にかかるサーバ１００における情報処理について説明する。サーバ１００のＣＰＵ１１０は、通信インターフェイス１６０を介して、通信端末３００から献立の提案の要求を受け付けると、図９に示す処理を実行する。
【００２６】
まず、ＣＰＵ１１０は、機器情報データ１２２を参照して、通信端末３００のユーザを特定する（ステップＳ１０２）。ＣＰＵ１１０は、機器情報データ１２２を参照してユーザが有する冷蔵庫３００Ａを特定して、在庫情報データ１２４を参照することによって当該冷蔵庫３００Ａにストックされている食材を抽出する（ステップＳ１０４）。
【００２７】
ＣＰＵ１１０は、調理情報データ１２３を参照して、当該食材を利用する調理レシピを選び出す（ステップＳ１０６）。ＣＰＵ１１０は、通信インターフェイス１６０を介して冷蔵庫３００Ａに調理メニューを選択可能に表示させる（ステップＳ１０８）。
【００２８】
ユーザが調理メニューを選択すると、冷蔵庫３００Ａは選択結果をサーバ１００に送信する。サーバ１００のＣＰＵ１１０は、通信インターフェイス１６０を介して、調理メニューの選択命令を受け付ける（ステップＳ１１０）。ＣＰＵ１１０は、調理情報データ１２３を参照して、調理メニューを実現可能な調理機器２００の種類を選び出して、通信インターフェイス１６０を介して冷蔵庫３００Ａに調理機器２００の種類を選択可能に表示させる（ステップＳ１１２）。
【００２９】
ユーザが調理機器を選択すると、冷蔵庫３００Ａは選択結果をサーバ１００に送信する。サーバ１００のＣＰＵ１１０は、通信インターフェイス１６０を介して、調理機器２００の選択命令を受け付ける（ステップＳ１１４）。ＣＰＵ１１０は、通信インターフェイス１６０を介して、ユーザに選択された調理機器２００に調理メニューに対応する調理プログラムをダウンロードする（ステップＳ１１６）。これによって、ユーザは、調理機器２００に細かい操作命令を入力することなく、調理機器２００に調理開始命令を入力することが可能になる。
＜調理機器２００の構成＞
【００３０】
次に、図１０を参照して、ネットワークシステム１を構成する調理機器２００の構成の一態様について説明する。調理機器２００は、主たる構成要素として、ＣＰＵ２１０と、メモリ２２０と、ディスプレイ２３０と、操作部２４０と、通信インターフェイス２６０と、スピーカ２７０と、マイク２８０と、機器駆動部２９０とを含む。
【００３１】
ＣＰＵ２１０は、メモリ２２０あるいは外部の記憶媒体に記憶されているプログラムを実行することによって、調理機器２００の各部を制御する。
【００３２】
メモリ２２０は、各種のＲＡＭや、各種のＲＯＭなどによって実現され、調理機器２００に内包されているものであってもよいし、調理機器２００の各種インターフェイスに着脱可能なものであってもよいし、調理機器２００からアクセス可能な他の装置の記録媒体であってもよい。メモリ２２０は、ＣＰＵ２１０によって実行される機器駆動プログラムや調理プログラムや対話プログラムやその他のプログラムや、ＣＰＵ２１０によるプログラムの実行により生成されたデータ、サーバ１００や他のサーバから受信した調理プログラムや音声データやその他のデータ、操作部２４０を介して入力された操作命令などのデータなどを記憶する。
【００３３】
ディスプレイ２３０は、ＣＰＵ２１０からの信号に基づいて、文字や画像などを出力する。操作部２４０は、ボタン、タッチパネルなどによって実現され、ユーザからの各種命令を受け付けて、当該命令をＣＰＵ２１０に入力する。なお、ディスプレイ２３０と操作部２４０とは、タッチパネル２５０を構成してもよい。
【００３４】
通信インターフェイス２６０は、無線ＬＡＮ通信あるいは有線ＬＡＮなどの通信モジュールによって実現され、有線通信あるいは無線通信によってサーバ１００などの他の装置との間でデータをやり取りする。たとえば、ＣＰＵ２１０は、操作部２４０を介して受け付けた命令や調理前・調理中・調理後に取得した加熱対象物に関するデータや各種の測定データなどを、調理に関する情報として、通信インターフェイス２６０を介してサーバ１００に送信する。ＣＰＵ２１０は、サーバ１００からの調理プログラムのデータや音声データなどを受け付けてメモリ２２０に格納したりする。
【００３５】
スピーカ２７０は、ＣＰＵ２１０からの信号に基づいて、音声を出力する。たとえば、ＣＰＵ２１０は、メモリ２２０に予め登録された音声データやサーバ１００から受信した音声データをスピーカ２７０から出力する。
【００３６】
マイク２８０は、ユーザから音声を受け付けて、音声信号をＣＰＵ２１０に受け渡す。
【００３７】
機器駆動部２９０は、アンテナやヒータや各種センサなど、調理機器２００の主要な機能を実現する。
＜通信端末３００の構成＞
【００３８】
次に、図１１を参照して、ネットワークシステム１を構成する通信端末３００の構成の一態様について説明する。通信端末３００は、主たる構成要素として、ＣＰＵ３１０と、メモリ３２０と、ディスプレイ３３０と、操作部３４０と、通信インターフェイス３６０と、スピーカ３７０と、マイク３８０と、音声ライト３９１と、発話ボタン３９２などを含む。
【００３９】
ＣＰＵ３１０は、メモリ３２０あるいは外部の記憶媒体に記憶されているプログラムを実行することによって、通信端末３００の各部を制御する。
【００４０】
メモリ３２０は、各種のＲＡＭや、各種のＲＯＭなどによって実現される。メモリ３２０は、ＣＰＵ３１０によって実行されるプログラムや、ＣＰＵ３１０によるプログラムの実行により生成されたデータ、サーバから受信したテキストデータや画像データや音声データや調理レシピのデータや、操作部３４０を介して入力されたデータなどを記憶する。
【００４１】
ディスプレイ３３０は、ＣＰＵ３１０からの信号に基づいて、文字や画像などを出力する。操作部３４０は、ユーザからの命令を受け付けて、当該命令をＣＰＵ３１０に入力する。なお、ディスプレイ３３０と操作部３４０とは、タッチパネル３５０を構成してもよい。
【００４２】
通信インターフェイス３６０は、無線ＬＡＮ通信あるいは有線ＬＡＮなどの通信モジュールによって実現される。通信インターフェイス３６０は、有線通信あるいは無線通信によってサーバ１００などの他の装置との間でデータを送受信する。
【００４３】
スピーカ３７０は、ＣＰＵ３１０からの信号に基づいて、音声を出力する。マイク３８０は、外部からの音声に基づいて音声信号を作成し、ＣＰＵ３１０に入力する。
【００４４】
音声ライト３９１は、通信端末３００がサーバ１００から音声メッセージを受信した場合に、また発話が完了していないときに、ＣＰＵ３１０からの信号によって点灯する。発話ボタン３９２が押されると、ＣＰＵ３１０は、未だ発話が完了していないメッセージをスピーカ３７０から音声出力する。
＜第２の実施の形態＞
【００４５】
上記の実施の形態に加えて、図１２に示すように、調理メニューが決定された後に、当該調理メニューと似通った調理時間を要する別の調理メニューを提示してもよい。
【００４６】
たとえば、図１３に示すように、サーバ１００のＣＰＵ１１０は、調理メニューが決定されると、調理情報データ１２３を参照して、決定した調理メニューの調理時間との差異が５分以内の調理メニューを抽出する（ステップＳ１１８）。このとき、ＣＰＵ１１０は、冷蔵庫３００Ａにストックされている食材を利用する調理メニューのうちの、先に決定された調理メニューで使用する調理機器の種類とは異なる調理機器を利用する調理メニューを抽出することが好ましい。
【００４７】
そして、ＣＰＵ１１０は、通信インターフェイス１６０を介して冷蔵庫３００Ａに調理メニューを選択可能に表示させる（ステップＳ１２０）。
【００４８】
ユーザが調理メニューを選択すると、冷蔵庫３００Ａは選択結果をサーバ１００に送信する。ＣＰＵ１１０は、通信インターフェイス１６０を介して、調理メニューの選択命令を受け付ける（ステップＳ１２２）。ＣＰＵ１１０は、調理情報データ１２３を参照して、調理メニューを実現可能な調理機器を選び出して、通信インターフェイス１６０を介して冷蔵庫３００Ａに調理機器を選択可能に表示させる（ステップＳ１２４）。
【００４９】
ユーザが調理機器を選択すると、冷蔵庫３００Ａは選択結果をサーバ１００に送信する。ＣＰＵ１１０は、通信インターフェイス１６０を介して、調理機器２００の選択命令を受け付ける（ステップＳ１２６）。ＣＰＵ１１０は、通信インターフェイス１６０を介して、先にユーザに選択された調理機器２００に先に選択された調理メニューに対応する調理プログラムをダウンロードして、次にユーザに選択された調理機器２００に次に選択された調理メニューに対応する調理プログラムをダウンロードする（ステップＳ１２８）。
＜第３の実施の形態＞
【００５０】
上記の実施の形態においては、調理メニューが選択されてから、調理機器が選択可能に表示されるものであった。しかしながら、このような形態には限られない。
【００５１】
たとえば、図１４に示すように、調理メニューと調理機器との組み合わせが選択可能に表示されてもよい。
【００５２】
あるいは、調理時間が近い複数の調理メニューの組み合わせが選択可能に表示されてもよい。この場合は、サーバ１００のＣＰＵ１１０は、第１の調理メニューと、第１の調理メニューで使用する調理機器と、第１の調理メニューと調理時間が近い第２の調理メニューと、第２の調理メニューで使用する調理機器と、の組み合わせを複数作成する。そして、それらのデータを通信端末３００に送信することによって、通信端末３００で複数の組み合わせが選択可能に表示されてもよい。
＜第４の実施の形態＞
【００５３】
上記の実施の形態に加えて、ステップＳ１０６やステップＳ１１８の調理メニューの抽出に関して、ＣＰＵ１１０は、ユーザ情報データ１２１や機器情報データ１２２を参照して、ユーザが保有している調理機器２００で調理可能な調理メニューだけに絞ってもよい。本実施の形態においては、ユーザが調理できる調理メニューのみを表示するため調理メニューの選択が容易になる。一方、上記の実施の形態においては、ユーザが保有していない調理機器２００による調理メニューが表示されるためユーザの調理機器２００に対する購買意欲を高めることができる。
＜第５の実施の形態＞
【００５４】
上記の実施の形態においては、通信端末３００のディスプレイ３３０に調理メニューや調理機器が選択可能に表示され、操作部３４０を介して選択命令を受け付けるものであったが、このような形態には限られない。
【００５５】
たとえば、通信端末３００のＣＰＵ３１０が調理メニューや調理機器を選択可能にスピーカ３７０から音声出力してもよい。そして、ＣＰＵ３１０は、マイク３８０を介してユーザの選択命令を受け付けてもよい。
＜第６の実施の形態＞
【００５６】
上記の実施の形態においては、冷蔵庫３００Ａを通信端末３００の一例として説明を行ったが、当然ながら、通信端末３００は、冷蔵庫３００Ａに限らず、ロボット３００Ｂやスピーカやスマートフォンなどの他の種類の通信端末３００であってもよい。
【００５７】
また、調理機器２００が通信端末３００の役割を担ってもよい。すなわち、オーブンレンジ２００Ａ自体が、自身で調理可能なメニューと他の調理機器で調理可能なメニューを選択可能に提示するものであってもよい。
＜第７の実施の形態＞
【００５８】
その他にも、上記の実施の形態のネットワークシステム１のサーバ１００や調理機器２００や通信端末３００などの各装置の役割の一部または全部を他の装置が実行してもよい。より詳細には、サーバ１００の処理の一部または全部を調理機器２００や通信端末３００が担ったり、クラウド上の多数のサーバによって分担して実現したりしてもよい。
＜まとめ＞
【００５９】
上記の実施の形態においては、電気機器３００（２００）と、使用する調理機器２００が異なる複数のレシピを選択可能に電気機器３００（２００）に出力させるためのサーバ１００とを備える、ネットワークシステム１が提供される。
【００６０】
好ましくは、サーバ１００は、複数のレシピとして、電気機器３００（２００）のユーザに対応付けられている調理機器２００を使用するレシピを抽出する。
【００６１】
好ましくは、サーバ１００は、電気機器３００（２００）を介して選択されたレシピと調理時間が似通った別のレシピを選択可能に電気機器３００（２００）に出力させる。
【００６２】
好ましくは、サーバ１００は、複数のレシピと調理時間が似通った別のレシピとを組みあせたものを選択可能に電気機器３００（２００）に出力させる。
【００６３】
好ましくは、サーバ１００は、別のレシピとして、複数のレシピで使用される調理機器２００と異なる調理機器２００を利用するレシピを抽出する。
【００６４】
好ましくは、サーバ１００は、電気機器３００（２００）を介して選択されたレシピで使用される電気機器３００（２００）に、選択されたレシピに合わせた調理命令をダウンロードする。
【００６５】
好ましくは、サーバ１００は、電気機器３００（２００）のユーザに対応付けられる冷蔵庫３００Ａに入っている食材のデータベースを参照可能であって、複数のレシピとして、冷蔵庫３００Ａに入っている食材を利用するレシピを抽出する。
【００６６】
上記の実施の形態においては、電気機器３００（２００）と通信するための通信インターフェイス１６０と、通信インターフェイス１６０を介して、使用する調理機器２００が異なる複数のレシピを選択可能に電気機器３００（２００）に出力させるためのプロセッサ１１０とを備える、サーバ１００が提供される。
【００６７】
上記の実施の形態においては、サーバ１００における情報処理方法が提供される。情報処理方法は、使用する調理機器２００が異なる複数のレシピを抽出するステップと、複数のレシピを選択可能に電気機器３００（２００）に出力させるステップと、を備える。
【００６８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６９】
１        ：ネットワークシステム
１００    ：サーバ
１１０    ：ＣＰＵ
１２０    ：メモリ
１２１    ：ユーザ情報データ
１２２    ：機器情報データ
１２３    ：調理情報データ
１２４    ：在庫情報データ
１４０    ：操作部
１６０    ：通信インターフェイス
２００    ：調理機器
２００Ａ  ：オーブンレンジ
２００Ｂ  ：炊飯器
２１０    ：ＣＰＵ
２２０    ：メモリ
２３０    ：ディスプレイ
２４０    ：操作部
２５０    ：タッチパネル
２６０    ：通信インターフェイス
２７０    ：スピーカ
２８０    ：マイク
２９０    ：機器駆動部
３００    ：通信端末
３００Ａ  ：冷蔵庫
３００Ｂ  ：ロボット
３１０    ：ＣＰＵ
３２０    ：メモリ
３３０    ：ディスプレイ
３４０    ：操作部
３５０    ：タッチパネル
３６０    ：通信インターフェイス
３７０    ：スピーカ
３８０    ：マイク
３９１    ：音声ライト
３９２    ：発話ボタン
４００    ：ルータ
【図１】
2020008989.tif 000003
【図２】
2020008989.tif 000004
【図３】
2020008989.tif 000005
【図４】
2020008989.tif 000006
【図５】
2020008989.tif 000007
【図６】
2020008989.tif 000008
【図７】
2020008989.tif 000009
【図８】
2020008989.tif 000010
【図９】
2020008989.tif 000011
【図１０】
2020008989.tif 000012
【図１１】
2020008989.tif 000013
【図１２】
2020008989.tif 000014
【図１３】
2020008989.tif 000015
【図１４】
2020008989.tif 000016